(57)【要約】【課題】電池の容量を確保しながら機器の小型化を実現できるよう電子機器、特にデジタルカメラ内部の構造配置を提案することである。【解決手段】電池切３片と操作部の機構を略同一高さに配置することで電池収納部５に係る部分の空間を無駄なく使用し電池４の容量を増やすことが可能となる。【選択図】図４
2007207470.tif 000002
【特許請求の範囲】
【請求項１】
略直方体である電池と、該電池を収納する電池収納部と、該電池の電池端子に接触し電力を得る電池切片と、外装から突出する操作部材と、操作部材からの入力を検出するスイッチと、該スイッチを搭載したプリント配線板を有する携帯電子機器において、
前記電池切片は電池収納部に保持され、電池収納部の電池切片保持部の横にプリント配線板取り付け部を設け、電池切片と操作部の機構が電池挿入方向に略同一の高さに配置することを特徴とする携帯電子機器。
【請求項２】
請求項１に記載の携帯電子機器において、前記電池の電池端子はは電池挿入方向に垂直な面にあり、前記電池切片は電池端子を付勢するよう電池収納部に保持され、電池収納部の電池切片保持部の横に前記プリント配線板取り付け部を設け、電池切片と操作部の機構が電池挿入方向に略同一の高さに配置することを特徴とする携帯電子機器。
【請求項３】
前記操作部材は軸中心に回転する操作部材であることを特徴とする請求項１または請求項２に記載の携帯電子機器。
【請求項４】
前記操作部材はレリーズボタンであることを特徴とする請求項１または請求項２に記載の携帯電子機器。
【発明の詳細な説明】
【技術分野】
【０００１】
本発明は、電力として機器内部に収納される小型電池を用いる携帯電子機器、特にデジタルカメラの構造に関するものである。
【背景技術】
【０００２】
従来、電力として機器内部に収納される小型電池を用いる電子機器においては、小型化を目的として電池収納部や操作部の配置を考慮したもの（例えば、特許文献１参照。）がある。
【特許文献１】特開平１１−２３２８６４号公報
【発明の開示】
【発明が解決しようとする課題】
【０００３】
近年、携帯電子機器は持ち運び際の利便性から小型化、薄型化している。電力として機器内部に収納される電池も小型化されているが、機器の省電力化により必要とされる動作時間を実現可能となっている。しかしながら、携帯電子機器の動作時間をより長くするために可能な限り電池の体積を大きくし、電池の容量を増やすことが望ましい。電池の容量を確保しながら機器の小型化、薄型化を実現するには、電子機器内部の構造配置を最適化するよう考慮されなければならない。
【０００４】
以上のことから、本出願の発明の目的は、携帯電子機器において、電池の容量を確保しながら機器の小型化を実現できるような電子機器内部の構造配置を提案することである。
【課題を解決するための手段】
【０００５】
本発明は上記の課題を解決するものであり、以下（１）〜（４）に示す、本発明に関る電池切片と操作部の機構の配置によれば、携帯電子機器内部において電池切片と操作部の機構を略同一高さに配置することで電池収納部に係る部分の空間を無駄なく使用し電池の容量を増やすことが可能となる。
【０００６】
（１）略直方体である電池と、該電池を収納する電池収納部と、該電池の電池端子に接触し電力を得る電池切片と、外装から突出する操作部材と、操作部材からの入力を検出するスイッチと、該スイッチを搭載したプリント配線板を有する携帯電子機器において、
前記電池切片は電池収納部に保持され、電池収納部の電池切片保持部の横にプリント配線板取り付け部を設け、電池切片と操作部の機構が電池挿入方向に略同一の高さに配置することを特徴とする携帯電子機器。
【０００７】
（２）前記（１）に記載の携帯電子機器において、前記電池の電池端子はは電池挿入方向に垂直な面にあり、前記電池切片は電池端子を付勢するよう電池収納部に保持され、電池収納部の電池切片保持部の横に前記プリント配線板取り付け部を設け、電池切片と操作部の機構が電池挿入方向に略同一の高さに配置することを特徴とする携帯電子機器。
【０００８】
（３）前記操作部材は軸中心に回転する操作部材であることを特徴とする前記（１）または（２）に記載の携帯電子機器。
【０００９】
（４）前記操作部材はレリーズボタンであることを特徴とする前記（１）または（２）に記載の携帯電子機器。
【発明の効果】
【００１０】
請求項１に記載の発明は、略直方体である電池と該電池を収納する電池収納部と該電池の電池端子に接触し電力を得る電池切片と外装から突出する操作部材と操作部材からの入力を検出するスイッチと該スイッチを搭載したプリント配線板を有する携帯電子機器において、前記電池切片を電池収納部に保持し、電池収納部の電池切片保持部の横にプリント配線板取り付け部を設け、電池切片と操作部の機構が電池挿入方向に略同一の高さに配置することにより、電池端子の上部の空間に電池切片と操作部材を略同一高さで配置することにより、電池の容量を確保しながら機器の小型化が可能となる。
【００１１】
請求項２に記載の発明は、略直方体である電池と該電池を収納する電池収納部と該電池の電池端子に接触し電力を得る電池切片と外装から突出する操作部材と操作部材からの入力を検出するスイッチと該スイッチを搭載したプリント配線板を有する携帯電子機器において、前記電池の電池端子はは電池挿入方向に垂直な面にあり、前記電池切片は電池端子を付勢するよう電池収納部に保持され、電池収納部の電池切片保持部の横に前記プリント配線板取り付け部を設け、操作部の機構を配置することにより、電池挿入方向に鉛直な方向に小型化可能となる。
【００１２】
請求項３に記載の発明は、略直方体である電池と該電池を収納する電池収納部と該電池の電池端子に接触し電力を得る電池切片と外装から突出する操作部材と操作部材からの入力を検出するスイッチと該スイッチを搭載したプリント配線板を有する携帯電子機器において、前記操作部の機構は軸中心に回転する操作部材であることを特徴とし前記電池の断面の投影内に収まる直径とし、電池端子の横に配置することにより、小型化可能となる。
【００１３】
請求項４に記載の発明は、略直方体である電池と該電池を収納する電池収納部と該電池の電池端子に接触し電力を得る電池切片と外装から突出する操作部材と操作部材からの入力を検出するスイッチと該スイッチを搭載したプリント配線板を有する携帯電子機器において、前記スイッチは撮影を許可するレリーズボタンであることを特徴とし、デジタルカメラなどの電子撮像装置において最適な形状と小型化を実現する。
【発明を実施するための最良の形態】
【００１４】
以下、本発明に関する実施例について詳細に説明する。
【００１５】
図１は本発明の実施例におけるデジタルカメラ内部の斜視図であり、鏡筒ユニット１９の右側にストロボユニット２１、撮影者が撮影時に保持する鏡筒ユニット１９の左側に電池収納部５があり、電池収納部５の前面には基板ユニット２０が取り付けられている。電池収納部５の上面には撮影許可するレリーズボタン１がある。鏡筒ユニット１９の上部にはファインダーユニット２２がある。
【００１６】
図２は本発明の第１の実施例における電池収納部の斜視図であり、電池収納部５には、略直方体の電池４が収納される。電池４には不図示の電池端子が上部にあり、この電池端子に接触し電力を得る電池切片３が電池収納部５に保持されている。電池収納部５の上面には電池切片３の保持部に隣り合うようにズームダイアル２があり、ズームダイアル２の中央にはレリーズボタン１がある。
【００１７】
図３は図２のズームダイアル２の下部の機構部分を示すものであり、電池収納部５にはズーム切替基板６があり、ズーム切替基板６にはズーム切替の信号パターン（ズーム切替パターン７）が配線されており、ズーム切替パターン７に接し、摺動するズームブラシ８は非導電部材のズームブラシホルダー９に固定されズームプレート１０を介しズームダイアル２に固定されている。ズームダイアル２がその回転中心を軸に回転すると、ズームブラシ８も同じ角度で回転し、ズームブラシに接するズーム切替パターンからの信号に応じ鏡筒ユニット１９を動作させる。ズームブラシ８の回転中心にはズーム切替基板６に実装されたレリーズスイッチ１１があり図２に示されるレリーズボタン１の操作によりスイッチがオンし撮影、画像記録される。ズームブラシ８の直径は電池切片３の投影面積と同様に電池４の断面の投影に収まっている。
【００１８】
図４は図２の電池収納部５を正面から見た図であり、電池収納部５において電池４の上方に配置された電池切片３とズームダイアルの機構部であるズームブラシ８、レリーズスイッチ１１は略同一高さに配置しており、カメラの高さに対し電池４の高さを優先した場合でも本実施例の配置はカメラの高さに対し効率的である。
【００１９】
図５は本発明の第２の実施例における電池収納部５を背面から見た図であり電池収納部５には電池切片３が保持されている。電池切片３の横にはカメラのモードを切り替えるモードダイアル１２があり、モードダイアル１２はモードダイアル軸１３を回転軸として特定の角度で回転する操作部材である。モードダイアル１２の外周の一部にはクリック溝１８がモード数に応じ設けられ、クリックバネ１４により負勢されている。電池切片３に隣り合うようにモードダイアル１２が配置されている。
【００２０】
図６は図５を別の角度から見た図であり、モードダイアル１２の下部の機構部を示している。電池収納部５には、電池４が収納されている。モードダイアル１２にはモード切替ブラシ１５が固定されており電池収納部５に取り付けられたモード切替ＰＣＢ１６に配線されているモード切替パターン１７とモード切替ブラシ１５が接することで信号を読み取りモードを切り替える。
【００２１】
図７は図５において電池挿入方向に鉛直な断面Ａ−Ａであり、電池切片３とモードダイアル機構部の高さ関係を示している。電池切片３に対しモードダイアル１２は略同一の高さになっており、電池の容量を確保しながらカメラの厚み薄くする配置として有効である。また、モードダイアル付近の残りの空間にはメモリーカードコネクタなどを配置しても良い。
【図面の簡単な説明】
【００２２】
【図１】本発明に係るデジタルカメラ内部の斜視図
【図２】本発明の第１の実施例における電池収納部を示す図
【図３】図２のズームダイアルの下部の機構部分を示す図
【図４】図２の電池収納部を正面から見た図
【図５】本発明の第２の実施例における電池収納部を示す図
【図６】図５を別の角度から見た図
【図７】図５において電池挿入方向に鉛直なＡ−Ａ断面図
【符号の説明】
【００２３】
１  レリーズボタン
２  ズームダイアル
３  電池切片
４  電池
５  電池収納部
６  ズーム切替基板
７  ズーム切替パターン
８  ズームブラシ
９  ズームブラシホルダー
１０  ズームプレート
１１  レリーズスイッチ
１２  モードダイアル
１３  モードダイアル軸
１４  クリックバネ
１５  モード切替ブラシ
１６  モード切替ＰＣＢ
１７  モード切替パターン
１８  クリック溝
１９  鏡筒ユニット
２０  基板ユニット
２１  ストロボユニット
２２  ファインダーユニット
【図１】
2007207470.tif 000003
【図２】
2007207470.tif 000004
【図３】
2007207470.tif 000005
【図４】
2007207470.tif 000006
【図５】
2007207470.tif 000007
【図６】
2007207470.tif 000008
【図７】
2007207470.tif 000009